(57)【特許請求の範囲】
【請求項１】
１枚のブランクシートから一体的に打ち抜かれた箱体形成片から成り、この箱体形成片には、互いに平行に連接された側面と、組立状態で略平行に対面する一対の側面の端部から連なって箱体の底面をそれぞれ閉鎖する第一、第二底蓋片を備え、前記第一底蓋片には、その折罫線に対して直角の側縁から延出した折返し片が内側に折り返されて糊付けされ、前記第二底蓋片が前記第一底蓋片の外側に糊付けされ、前記第一底蓋片と対向する上蓋片が前記側面の一つから延出し、前記上蓋片の折罫線に対して直角の側縁から延出した折返し片が前記上蓋片の内側に折り返されて糊付けされ、前記上蓋片の先端側には対面する側面に糊付けされる糊付け片が設けられた二重底蓋包装用箱において、
前記第二底蓋片には解体用ミシン線が形成され、前記第二底蓋片が前記第一底蓋片の外側に積層されて糊付けされたことを特徴とする二重底蓋包装用箱。
【請求項２】
１枚のブランクシートから一体的に打ち抜かれた箱体形成片から成り、この箱体形成片には、互いに平行に連接された側面と、組立状態で略平行に対面する一対の側面の端部から連なって箱体の底面をそれぞれ閉鎖する第一、第二底蓋片を備え、前記第一底蓋片には、その折罫線に対して直角の側縁から延出した折返し片が内側に折り返されて糊付けされ、前記第二底蓋片が前記第一底蓋片の外側に糊付けされ、前記第一底蓋片と対向する上蓋片が前記側面の一つから延出し、前記上蓋片の折罫線に対して直角の側縁から延出した折返し片が前記上蓋片の内側に折り返されて糊付けされ、前記上蓋片の先端側には対面する側面に糊付けされる糊付け片が設けられた二重底蓋包装用箱において、
前記上蓋片と第一底蓋片の内側には、前記側面から延出したフラップが各々位置し、このフラップの先端部は、互いに積層または近接して対向するように形成されたことを特徴とする二重底蓋包装用箱。
【請求項３】
前記第二底蓋片の解体用ミシン線は、平行な一対のミシン線から成り、前記上蓋片の先端部に設けられた糊付け片にも、平行な一対の開封用ミシン線が形成され、この開封用ミシン線の先端側が前記側面に糊付けされ、基端側は開封後に差込片となる請求項１記載の二重底蓋包装用箱。
【発明の詳細な説明】
【技術分野】
【０００１】
この発明は、薬剤等を収納し改ざん防止効果を高めた二重底蓋包装用箱に関する。
【背景技術】
【０００２】
従来、一枚のブランクシートから一体に打ち抜かれた箱体形成片を組み立てた包装用箱の一形態として、４側面の上下に上蓋と底蓋が設けられ開口部を閉鎖している構造のものがある。この蓋の構造は、一側面側延出した蓋片とその先端の差込片とから成り、差込片を側面の内側に差し込んで蓋片を側面に係止している。
【０００３】
また、特許文献１，２に開示されているように、蓋片を補強するために蓋片の側縁部に折返し部を設け、折返し部を蓋片に糊付けしたものも提案されている。
【特許文献１】実開昭５８−１７４４２０号
【特許文献２】実開平５−９４１１９号
【発明の開示】
【発明が解決しようとする課題】
【０００４】
上記従来の技術の場合、蓋片が撓みやすく、蓋片を折返し部により補強しても、蓋片が湾曲して、箱内の空間と連通し、内部の商品の改ざんや抜き取り等が可能な状態であった。
【０００５】
この発明は、上記従来の技術の問題点に鑑みてなされたものであり、簡単な構造で蓋片が補強され、異物の侵入や内容物の改ざんを確実に防ぐことができる二重底蓋包装用箱を提供することを目的とする。
【課題を解決するための手段】
【０００６】
この発明は、1枚のブランクシートから一体的に打ち抜かれた箱体形成片から成り、この箱体形成片には、互いに平行に連接された側面と、組立状態で略平行に対面する一対の側面の端部から連なって箱体の底面をそれぞれ閉鎖する第一、第二底蓋片を備え、前記第一底蓋片には、その折罫線に対して直角の側縁から延出した折返し片が内側に折り返されて糊付けされ、前記第二底蓋片が前記第一底蓋片の外側に糊付けされ、前記第一底蓋片と対向する上蓋片が前記側面の一つから延出し、前記上蓋片の折罫線に対して直角の側縁から延出した折返し片が前記上蓋片の内側に折り返されて糊付けされ、前記上蓋片の先端側には対面する側面に糊付けされる糊付け片が設けられた二重底蓋包装用箱である。
【０００７】
前記第二底蓋片には解体用ミシン線が形成され、前記第二底蓋片が前記第一底蓋片の外側に積層されて糊付けされたものである。
【０００８】
前記上蓋片と第一底蓋片の内側には、前記側面から延出したフラップが各々位置し、このフラップの先端部は、互いに積層または近接して対向するように形成されたものである。
【０００９】
前記第二底蓋片の解体用ミシン線は、平行な一対のミシン線から成り、前記上蓋片の先端部に設けられた糊付け片にも、平行な一対の開封用ミシン線が形成され、この開封用ミシン線の先端側が前記側面に糊付けされ、基端側は開封後に差込片となるものである。
【発明の効果】
【００１０】
本発明の二重底蓋包装用箱は、簡単な構造であり、蓋片の湾曲を抑え、異物の侵入や内容物の改ざんや抜き取りを確実に防止することができるものである。
【発明を実施するための最良の形態】
【００１１】
以下、この発明の実施形態について図面に基づいて説明する。図１〜図３はこの発明の一実施形態の二重底蓋包装用箱１０を示すものであり、この実施形態の二重底蓋包装用箱１０は、厚紙等の一枚のブランクシートを打ち抜いて形成された箱体形成片１２を組み立てて設けられている。
【００１２】
図１は箱体形成片１２を表面から見た展開図であり、箱体形成片１２は、側面１４，１６，１８，２０が、互いに平行に連接して形成されている。さらに側面１４の側縁部には、二重底蓋包装用箱１０の組立状態で側面２０の裏面に糊付けされる糊付片２２が設けられている。そして、糊付片２２、側面１４，１６，１８，２０は、各々折罫線２４，２６，２８，３０で区切られている。
【００１３】
側面１４の上下端部には、側面１４の折罫線２４，２６の各端部間に雨滴形状を対称に二分した形状のフラップ３２，３４が、折罫線３６，３８を介して一体に形成されている。折罫線３６，３８には、一定間隔で切り溝が形成され、折り曲げ容易に形成されている。フラップ３２，３４の先端部は、箱体を形成した折り曲げ状態で、互いに近接して対向するように形成されている。
【００１４】
側面１６を介して連接された側面１８の上下端部にも、側面１８の折罫線２８，３０の各端部間に雨滴形状を対称に二分した形状のフラップ４２，４４が、折罫線４６，４８を介して一体に形成されている。折罫線４６，４８には、一定間隔で切り溝が形成され、折り曲げ容易に形成されている。フラップ４２，４４の先端部も、箱体を形成した折り曲げ状態で、互いに近接して対向または互いに積層するように形成されている。
【００１５】
側面１６の、折罫線２６，２８間に位置する上端部には、上蓋片５０が折罫線５２で区切られて設けられている。折罫線５２には切り溝が一定間隔で形成され、上蓋片５０の折罫線５２とは反対側の端部には、さらに組立状態で側面２０の外側に糊付けされる糊付け片５６が、折罫線５４を介して一体に形成されている。折罫線５４にも切り溝が形成され、糊付け片５６は、中央部には折罫線５４と平行に２平行な一対の開封用ミシン線５８が形成されている。一対の開封用ミシン線５８間の一端部には、開封用のつまみ部６０が設けられている。糊付け片５６の開封用ミシン線５８の先端側が、側面２０に糊付けされる糊付け部６２となり、基端側は開封後に箱内に差し込まれる差込片６４となる。
【００１６】
上蓋片５０の折罫線５２，５４の両端部間には、上蓋片５０の内側に折り返されて糊付けされる折返し片６６，６８が、折罫線７０，７２を介して上蓋片５０の側縁から延出して形成されている。
【００１７】
側面１６の、折罫線２６，２８間に位置する下端部には、第一底蓋片７４が折罫線７６で区切られて設けられている。折罫線７６には切り溝が一定間隔で形成されている。第一底蓋片７４の折罫線７６と直角の側縁部には、第一底蓋片７４の内側に折り返されて糊付けされる折返し片７８，８０が、折罫線８２，８４を介して上蓋片５０の側縁から延出して形成されている。
【００１８】
側面２０の折罫線３０と直角の側縁部には、組立状態で第一底蓋片７４の外側に位置して糊付けされる第二底蓋片８６が、折罫線８８を介して一体に形成されている。折罫線８８にも切り溝が形成され、第二底蓋片８６は、第一底蓋片７４とほぼ等しい大きさに形成されている。第二底蓋片８６の中央部には、折罫線８８と平行に２平行な一対の解体用ミシン線９０が形成されている。一対の解体用ミシン線９０間の一端部には、開封用のつまみ部９２が設けられている。そして、第二底蓋片８６の解体用ミシン線９０の先端側が、第一底蓋片７４に糊付けされる。
【００１９】
次に、この実施形態の二重底蓋包装用箱１０の組立方法について説明する。なお、ここでは図１が二重底蓋包装用箱１０の箱体形成片１２の表面を見たものであり、箱体形成片１２の表面が凸になる折り方を正折り、そして裏面が凸になる折り方を逆折りと称する。
【００２０】
まず、上蓋片５０の折返し片６６，６８、及び第一底蓋片７４の折返し片７８，８０の裏面に糊９６を塗布し、折返し片６６，６８を折罫線７０，７２で正折りし、折返し片７８，８０を折罫線８２，８４で正折りし、各々上蓋片５０と第一底蓋片７４の裏面に糊付けする。次に、糊付け片２２の表面に糊付けし、折罫線２６を正折りし、折罫線３０を正折りして、側面２０の端縁部を糊付け片２２に糊付けする。
【００２１】
この後、収容物を箱内に入れる際に、折罫線２４，２６，２８，３０を各々９０度に正折りして四角形の箱体にする。このとき、フラップ３４，４４を正折りして、第一底蓋片７４を正折りし、第二底蓋片８６を第一底蓋片７４の外側に糊付けする。
【００２２】
そして、商品を箱内に収納し、フラップ３２，４２を正折りして、上蓋片５０を正折りし、糊付け片５６の糊付け部６２の裏面に糊付けして、折罫線５４で正折りし、糊付け片５６を側面２０の外側に糊付けする。
【００２３】
この実施形態の二重底蓋包装用箱１０から商品を取り出すときは、つまみ部６０を持って引き、開封用ミシン線５８間を破ると上蓋片５０が側面２０から離れ、開封される。商品を取り出した後は、差込片６４を箱体内に差し込んで上蓋片５０を閉じることができる。
【００２４】
また、不要になった二重底蓋包装用箱１０を解体するときは、解体用ミシン線９０間の開封用のつまみ部９２を持って引き、解体用ミシン線９０で第二底蓋片８６を破ると、第二底蓋片８６の基端部が開閉可能となり、二重底蓋包装用箱１０をきれいに折り畳むことができる。
【００２５】
この実施形態の二重底蓋包装用箱１０によれば、簡単な構造であり、第一底蓋片７４と第二底蓋片８６により箱体底面が覆われ、箱体底面に隙間が形成されにくいものである。さらに、上蓋片５０と第一底蓋片７４には、折返し片６６，６８及び折返し片７８，８０が設けられ、側縁部を補強しているので、この点からも箱体開口部に隙間が形成されず、抜き取りや改ざんを確実に防止することができ、商品の安全性を確保することができる。
【００２６】
なお、この発明は上記実施形態に限定されるものではなく、折返し片やフラップの形状等は、適宜変更可能である。
【図面の簡単な説明】
【００２７】
【図１】この発明の一実施形態の二重底蓋包装用箱の展開図である。
【図２】この実施形態の二重底蓋包装用箱の上蓋片を開いた状態の斜視図である。
【図３】この実施形態の二重底蓋包装用箱の第二底蓋片を開いた状態の斜視図である。
【符号の説明】
【００２８】
１０  二重底蓋包装用箱
１２  箱体形成片
１４，１６，１８，２０  側面
３２，３４，４２，４４  フラップ
５０  上蓋片
５６  糊付け片
５８  開封用ミシン線
６４  差込片
６６，６８，７８，８０  折返し片
７４  第一底蓋片
８６  第二底蓋片
９０  解体用ミシン線
【図１】
0004759386.tif 000002
【図２】
0004759386.tif 000003
【図３】
0004759386.tif 000004